(57)【要約】【課題】簡易かつコンパクトな構成で被覆用シートから離型紙を容易に剥離できるようにする。【解決手段】離型紙１を有する両面粘着テープ２がシート材３の裏面に取り付けられた被覆用シート４から上記離型紙１を剥離するための離型紙剥離装置であって、上記被覆用シート４の粘着テープ設置部をガイドしつつ挿通可能に支持する第１ガイド部８と、この第１ガイド部８の出口側部分において上記粘着テープ設置部の側方部分を湾曲させて表面側に反らせるようにガイドする第２ガイド部９と、この第２ガイド部９の設置部に案内された被覆用シート４の裏面側から上記両面粘着テープ２と離型紙１との間に進入して離型紙を剥離する剥離爪１０とを設けた。【選択図】　図４
2004079390.tif 000002
【特許請求の範囲】
【請求項１】
離型紙を有する両面粘着テープがシート材の裏面に取り付けられた被覆用シートから上記離型紙を剥離するための離型紙剥離装置であって、上記被覆用シートの粘着テープ設置部をガイドしつつ挿通可能に支持する第１ガイド部と、この第１ガイド部の出口側部分において上記粘着テープ設置部の側方部分を湾曲させて表面側に反らせるようにガイドする第２ガイド部と、この第２ガイド部の設置部に案内された被覆用シートの裏面側から上記両面粘着テープと離型紙との間に進入して離型紙を剥離する剥離爪とを備えたことを特徴とする被覆用シートの離型紙剥離装置。
【請求項２】
剥離された離型紙を収容する収容容器を離型紙の剥離部の下方に着脱可能に設置したことを特徴とする請求項１記載のハーネス被覆用シートの離型紙剥離装置。
【発明の詳細な説明】
【０００１】
【発明の属する技術分野】
本発明は、ワイヤハーネスを構成する複数本の電線等に巻き付けられることにより、この電線等を被覆して結束する際等に使用される被覆用シートの離型紙剥離装置に関するものである。
【０００２】
【従来の技術】
従来、ワイヤハーネスを構成する複数本の電線等に被覆用シートを巻き付けて、この電線等を一体に結束するとともに、上記ワイヤハーネスの所要部分を上記被覆用シートにより保護することが行われている。上記被覆用シートは、図８に示すように、ポリ塩化ビニル樹脂（ＰＶＣ）等からなる所定寸法のシート材３と、その一側辺部に取り付けられた両面粘着テープ２とを有し、この両面粘着テープ２に、その粘着面を保護する離型紙１が剥離可能に設けられている。そして、上記被覆用シート４の使用時に、作業者が上記離型紙１を剥離した後に、複数本の電線等に被覆用シート４を巻き付けることにより、上記粘着テープ２の粘着力に応じて被覆シート４の巻付状態を保持することが行われている。
【０００３】
上記離型紙１は、その表面がシリコーン系またはフッ素系の離型剤が塗布されることにより、上記粘着テープ２から容易に剥離し得るように構成されている。しかし、上記離型紙１の厚みが薄いために、手作業で離型紙１を剥離することが困難であるとともに、この離型紙１が静電気を帯びて手に付着し易いので、剥離後の離型紙１を容器内に収容する作業が繁雑であるという問題がある。
【０００４】
このため、例えば特開２００１−１６０３２８号公報に示されるように、シート巻回ロールから繰り出されるシートの送りローラと、その送りローラに上記シートを介在して接離する圧接ローラと、上記シートをシート片に切断するカッターとを備えた切断機の設置部に、両面テープ貼着機からのテープを導き、このシートに貼着された両面テープの離型紙を、上記切断機における送りローラおよび圧接ローラの手前に設けられた剥離棒に掛け回し、反転してシートから剥離するように構成されたワイヤハーネス用巻回シートの供給装置を用いることにより、上記シートを所定寸法に切断するのと同時に、両面粘着テープから離型紙を剥離することが行われている。
【０００５】
【発明が解決しようとする課題】
上記公報に開示されているように離型紙の剥離機構等を備えたシートの供給装置を用いることにより、上記シートの切断作業と離型紙の剥離作業とを同時に行うように構成した場合には、剥離後の離型紙が作業者の手に付着する等の弊害を生じることなく、離型紙を連続的に剥離することができるという利点がある。この反面、上記シートおよび両面粘着テープの供給装置と、シートの切断機と、上記離型紙の剥離機構等とを一体化する必要があり、装置が大型化するとともに、構造が複雑化することが避けられないという問題がある。
【０００６】
本発明は、上記の点に鑑みてなされたものであり、簡易かつコンパクトな構成で被覆用シートから離型紙を容易に剥離することができる被覆用シートの離型紙剥離装置を提供することを目的としている。
【０００７】
【課題を解決するための手段】
請求項１に係る発明は、離型紙を有する両面粘着テープがシート材の裏面に取り付けられた被覆用シートから上記離型紙を剥離するための離型紙剥離装置であって、上記被覆用シートの粘着テープ設置部をガイドしつつ挿通可能に支持する第１ガイド部と、この第１ガイド部の出口側部分において上記粘着テープ設置部の側方部分を湾曲させて表面側に反らせるようにガイドする第２ガイド部と、この第２ガイド部の設置部に案内された被覆用シートの裏面側から上記両面粘着テープと離型紙との間に進入して離型紙を剥離する剥離爪とを備えたものである。
【０００８】
上記構成によれば、第１ガイド部に導入された被覆用シートを第１ガイド部の出口側に移動させることにより、両面粘着テープと離型紙との間に進入した剥離爪により離型紙が自動的に剥離されることになる。
【０００９】
請求項２に係る発明は、上記請求項１記載のハーネス被覆用シートの離型紙剥離装置において、剥離された離型紙を収容する収容容器を離型紙の剥離部の下方に着脱可能に設置したものである。
【００１０】
上記構成によれば、収容容器を離型紙剥離装置から取り外すことにより、その内部に収容された離型紙を容易に廃棄することが可能となる。
【００１１】
【発明の実施の形態】
図１〜図３は、本発明に係る被覆用シートの離型紙剥離装置の実施形態を示している。この離型紙剥離装置は、離型紙１を有する両面粘着テープ２がシート材３の裏面に取り付けられた粘着テープ設置部４ａを一側辺部側に有する被覆用シート４（図８参照）から、上記離型紙１を剥離する剥離機構５と、剥離された離型紙５を収容する収容ケース６と、上記剥離機構５を、図板等からなる作業台（図示せず）上に固定するためのねじ軸からなる固定具７とを備えている。
【００１２】
上記剥離機構５には、図４〜図６に示すように、被覆用シート４の粘着テープ設置部４ｂをガイドしつつ挿通可能に支持する第１ガイド部８と、この第１ガイド部８の出口側部分において、後述するように上記粘着テープ設置部４ａの側方部分４ｂを湾曲させて表面側に反らせるようにガイドする第２ガイド部９と、この湾曲部９の裏面側から上記粘着テープ２と離型紙１との間に進入して離型紙５を剥離する剥離爪１０とが設けられている。
【００１３】
上記第１ガイド部８は、鉛直方向に立設された長方形の金属板からなる位置決め基板１１と、この位置決め基板１１の内壁面上部にボルト止めされた上面ガイド板１２と、その下方に配設された上部ブロック体１３とを有し、上記上面ガイド板１２と上部ブロック体１３との間に導入された被覆用シート４の粘着テープ設置部４ａを上下からガイドするように構成されている。
【００１４】
すなわち、上面ガイド板１２は、被覆用シート４に取り付けられた上記両面粘着テープ２と略同一の幅寸法を有する板状体からなる水平部１４と、この水平部１４の後端部から斜め上向きに伸びる導入部１５と、上記水平部１４の前端部から上向きに湾曲して伸びる円弧状の導出部１６と、上記水平部１４の側辺部から上向きに突設された取付部１７とを有し、この取付部１７がボルトによって上記位置決め基板１１の内壁面上部に固定されている。
【００１５】
また、上部ブロック体１３は、前後寸法および幅寸法が上記上面ガイド板１２の水平部よりも大きく設定された金属製の厚板材により形成されている。そして、上面ガイド板１２の下面から所定距離を隔てた位置に上部ブロック体１３が設置されることにより、上面ガイド板１２と上部ブロック体１３との間に、上記被覆用シート４の厚さ（粘着テープ設置部４ａの厚さ）と略同寸法の間隙が形成されるようになっている。これにより、上記位置決め基板１１に沿って被覆用シート４の側辺部が位置決めされつつ、上部ブロック体１３上に搬入された被覆用シート４の粘着テープ設置部４ａが、上記上面ガイド板１２の水平部１４と上部ブロック体１３とにより上下から支持された状態で上記第１ガイド部８の出口側、つまり上記導出部１６が設けられた上部ガイド板１２の前端部側に導出されるように構成されている。
【００１６】
上記第２ガイド部９は、上部ブロック１３の前面にボルト止めされた取付板１８と、この取付板１８の上端部から斜め上向きに伸びる下面ガイド板１９とからなっている。この下面ガイド板１９は、上記上面ガイド板１２の導出部１６側に位置するとともに、この上面ガイド板１２の設置範囲と重ならないように、平面から見て上記位置決め基板１１から所定距離だけ離れた位置に配設されている（図３参照）。また、上記位置決め基板１１側に位置する下面ガイド板１９の側辺部には、その先端部側が位置決め基板１１側に近接するように傾斜したテーパ部２０が形成されている。
【００１７】
そして、上記上面ガイド板１２と上部ブロック体１３との間に導入された被覆用シート４を、上記下面ガイド板１９に沿って斜め上方に案内することにより、上記被覆用シート４に設けられた粘着テープ設置部４ａの側方部分４ｂを湾曲させて表面側に反らせるように構成されている。上記下面ガイド板１９の鉛直方向に対する傾斜角度θは、上記被覆用シート４の挿通性を阻害することなく、粘着テープ設置部４ａの側方部分４ｂを表面側に反らせることにより、後述するように両面粘着テープ２に貼着された離型紙１の端部を両面粘着テープ２から遊離させ得るような値、例えば６５°程度に設定されている（図６および図７参照）。
【００１８】
上記剥離爪１０は、水平方向に伸びる取付板２１と、この取付板２１の先端部から上方に起立する起立板２２と、この起立板２２の上端部から先端部側に伸びる突出部２３とを有している。この突出部２３は、円弧状の断面形状を有するとともに、先端部が鋭利な先窄まり形状に形成されている。そして、上記位置決め基板１１の内壁面下部に取り付けられた鋼材等の磁性体からなる下部ブロック体２４の上面に、上記剥離爪１０の取付板２１がボルト止めされることにより、上記突出部２３が下面ガイド板１９の側方において上面ガイド板１２の下方に臨むように設置されている。
【００１９】
また、上記剥離爪１０は、図３に示すように、平面から見て斜め向きに傾斜した状態で上記下部ブロック体２４にボルト止めされることにより、上記下面ガイド板１９側に位置する突出部２３の一端部が上面ガイド板１２に近接した位置に配設されるとともに、上記位置決め基準板１１側に位置する突出部２３の他端部側が上面ガイド板１２から離間した位置に配設された状態で固定されている。
【００２０】
また、上記下部ブロック体２４には、剥離された離型紙１を下方に導出するための開口部２５が形成されるとともに、下部ブロック体２４の外側端面には、一対のボルト２６が螺着され、各ボルト２６の頭部に上記収容ケース６が係止されるようになっている。
【００２１】
上記収容ケース６は、上面が開口した箱体からなり、その一側壁の内面上部にマグネットキャッチ２７がボルト止めされるとともに、他側壁の上部に上記ボルト２６の頭部に外嵌される係合孔２８が形成されている。そして、収容ケース６の係合孔２８が上記ボルト２６の頭部に外嵌された状態で、上記マグネットキャッチ２７の磁力に応じて上記下部ブロック体２４の下面に上記収容ケース６が係止されることにより、上記離型紙１の剥離位置の下方に収容ケース６が取り外し可能に設置されている。
【００２２】
また、上記位置決め基板１１の外壁面下端部には、取付ブラケット２９が突設され、この取付ブラケット２９に設けられたねじ孔に、上記ねじ軸からなる固定具７の上端部が螺着されることにより、上記剥離機構５が作業台上の所定位置に立設されるように構成されている。
【００２３】
上記構成において、被覆用シート４の側辺部を位置決め基板１１に当接させて位置決めしつつ、図７（ａ）に示すように、被覆用シート４を上部ブロック体１３の上面に沿って上記第１ガイド部８内に搬入する。すなわち、上記上面ガイド板１２の導入部１５を介して水平部１４と上部ブロック体１３との間に、上記被覆用シート４の粘着テープ設置部４ａを導入し、上面ガイド板１２の水平部１４と上部ブロック体１３とによって上記粘着テープ設置部４ａを上下から支持した状態で上記第１ガイド部８の出口側に移動させるようにする。
【００２４】
上記のように第１ガイド部８の上面ガイド板１２と上部ブロック体１３とによって上記粘着テープ設置部４ａを上下から支持しつつ、上記第１ガイド部８の出口側に被覆用シート４を移動させると、図７（ｂ）に示すように、上記粘着テープ設置部４ａの側方部分４ｂが上記第２ガイド部９に当接し、この第２ガイド９の下面ガイド板１９により上記側方部分４ｂが斜め上向きにガイドされる。この結果、被覆用シート４の粘着テープ設置部４ａが第１ガイド部８により上下から支持された状態で、上記粘着テープ設置部４ａの側方部分４ｂが被覆用シート４の表面側に反った状態に湾曲することになる。
【００２５】
上記被覆用シート４の粘着テープ設置部４ａが第１ガイド部８により支持された状態で、上記側方部分４ｂが第１ガイド部８の出口側部分において表面側に反るように湾曲すると、上記離型紙１が貼着された両面粘着テープ２の裏面側部と、被覆用シート４に取り付けられた両面粘着テープ２の表面側部との間に所定の周長差が生じ、この周長差に応じて上記離型紙１の端部が両面粘着テープ２から遊離することになる。
【００２６】
すなわち、被覆用シート４の先端部が第１ガイド部８に出口側部分に移動することにより、この第１ガイド部８による粘着テープ設置部４ａの拘束状態が解除された時点で、上記のように湾曲した側方部分４ｂの影響を受けて粘着テープ設置部４ａに位置するシート材３が大きな曲率で湾曲して表面側に反った状態となるため、このシート材３の下面に取り付けられた両面粘着テープ２は、シート材３に追従して表面側に湾曲することになる。これに対して、両面粘着テープ２に貼着された離型紙１は、両面粘着テープ２に比べて伸縮性が低いために、両面粘着テープ２に追従して湾曲することができず、上記シート材２と離型紙１との間に生じる周長差に応じ、上記両面粘着テープ２から離型紙１の端部１ａが遊離して両者の間に隙間が形成されることになる。
【００２７】
そして、上記第１ガイド部８の出口側から被覆用シート４を引き出すように移動させると、上記離型紙１の端部と両面粘着テープ２との間に形成された隙間に上記剥離爪１０の突出部２３が進入して、この剥離爪１０により離型紙１が下方に案内されて剥離される。このため、上記被覆用シート４の粘着テープ設置部４ａを第１ガイド部８に搬入し、この第１ガイド部８に沿って被覆用シート４を移動させるという簡単な操作で、上記離型紙１が両面粘着テープ２から自動的に剥離され、この剥離された離型紙１は、上記下部ブロック体２４に形成された開口部２５を介して収容容器６内に収容される。
【００２８】
上記のように被覆用シート４の粘着テープ設置部４ａをガイドしつつ挿通可能に支持する第１ガイド部８と、この第１ガイド部８の出口側部分において上記粘着テープ設置部４ａの側方部分４ｂを湾曲させて表面側に反らせるようにガイドする第２ガイド部９と、この第２ガイド部２の設置部に案内された被覆用シート４の裏面側から上記両面粘着テープ２と離型紙１との間に進入して離型紙１を剥離する剥離爪１０とを設けたため、極めて簡易かつコンパクトな構成で、被覆用シート４を第１ガイド部８に沿って移動させるという簡単な操作により、離型紙１が作業者の手に付着する等の問題を生じることなく、離型紙１を両面粘着テープ２から自動的に剥離することができる。したがって、上記離型紙剥離装置を作業台上の任意の個所に設置することにより、この作業台上において被覆用シート４の粘着テープ設置部４ａから離型紙１を剥離した後、上記被覆用シート４を電線等に巻き付ける作業を容易に行うことができる。
【００２９】
また、上記実施形態では、剥離された離型紙１を収容する収容容器６を離型紙１の剥離部の下方において着脱可能に設置したため、上記収容容器６内に所定量の離型紙１が収容された時点で、この収容容器６を離型紙剥離装置から取り外すことにより、収容容器６内の離型紙１を廃棄する作業を容易に行うことができるという利点がある。
【００３０】
さらに、上記実施形態に示すように、上記位置決め基板１１側に位置する下面ガイド板１９の側辺部に、その先端部側が位置決め基板１１側に近接するように傾斜したテーパ部２０を設けた場合には、上記上面ガイド板１２と下面ガイド板１９との干渉を防止しつつ、この下面ガイド板１９の側辺部を上面ガイド板１２の導出部１６に近接させることができる。このため、上記粘着テープ４ａの近傍部を効率よく湾曲させ得るように上記下面ガイド板１９の側辺部を配設して、上記両面粘着テープ２から離型紙１を効果的に剥離できるという利点がある。
【００３１】
【発明の効果】
以上説明したように、本発明は、離型紙を有する両面粘着テープがシート材の裏面に取り付けられた被覆用シートから上記離型紙を剥離するための離型紙剥離装置であって、上記被覆用シートの粘着テープ設置部をガイドしつつ挿通可能に支持する第１ガイド部と、この第１ガイド部の出口側部分において上記粘着テープ設置部の側方部分を湾曲させて表面側に反らせるようにガイドする第２ガイド部と、この第２ガイド部の設置部に案内された被覆用シートの裏面側から上記両面粘着テープと離型紙との間に進入して離型紙を剥離する剥離爪とを設けたため、極めて簡易かつコンパクトな構成で、被覆用シートを第１ガイド部に沿って移動させるという容易な操作により、離型紙が作業者の手に付着する等の問題を生じることなく、離型紙を自動的に剥離することができる。
【図面の簡単な説明】
【図１】本発明に係る被覆用シートの離型紙剥離装置の実施形態を示す正面図である。
【図２】被覆用シートの離型紙剥離装置の側面図である。
【図３】被覆用シートの離型紙剥離装置の平面図である。
【図４】離型紙剥離装置の要部を示す側面図である。
【図５】離型紙剥離装置の要部を示す正面図である。
【図６】離型紙剥離装置の分解斜視図である。
【図７】離型紙の剥離工程を示す説明図である。
【図８】離型紙の具体的構成を示す説明図である。
【符号の説明】
１　離型紙
２　両面粘着テープ
３　シート材
４　被覆用シート
４ａ　粘着テープ設置部
４ｂ　側方部分
６　収容容器
８　第１ガイド部
９　第２ガイド部
１０　剥離爪
【図１】
2004079390.tif 000003
【図２】
2004079390.tif 000004
【図３】
2004079390.tif 000005
【図４】
2004079390.tif 000006
【図５】
2004079390.tif 000007
【図６】
2004079390.tif 000008
【図７】
2004079390.tif 000009
【図８】
2004079390.tif 000010